(57)【特許請求の範囲】
【請求項１】
（ａ）生活環境の状態に応じた出力信号を出力する状態検出装置と、
（ｂ）前記状態検出装置によって出力された出力信号に基づいて、前記生活環境の状態を表す環境情報を生成する演算手段と、
広告に関連する情報であって、当該広告の広告主のホームページへのリンクを含む広告関連情報を記憶する広告関連情報記憶手段とを有する第１のサーバ装置と、
（ｃ）前記演算手段によって生成された環境情報と、前記広告関連情報記憶手段に記憶された広告に関連する広告関連情報とを取得して表示する表示装置と、
（ｄ）前記広告関連情報記憶手段に記憶された前記広告関連情報に対応する広告の広告主に関する情報を記憶した広告主情報記憶手段と、
前記広告に係る費用と当該広告の広告主とを対応付けて記憶した広告課金情報記憶手段と、
前記広告課金情報記憶手段に記憶された対応付けに基づいて前記広告の広告主に対して課金する費用の額を決定する広告課金手段と、
前記状態検出装置の設置又は維持に係る費用と前記状態検出装置の設置者とを対応付けて記憶した状態検出装置課金情報記憶手段と、
前記状態検出装置課金情報記憶手段に記憶された前記状態検出装置の設置又は維持に係る費用から、前記広告課金手段によって決定された前記広告主に課金される費用の額を差し引いた差額に基づいて、前記状態検出装置の設置者に対して課金する費用の額を決定する課金手段とを有する第２のサーバ装置と
を具備し、
前記表示装置は、前記広告主情報記憶手段に記憶された前記広告の広告主が生活環境に関連している場合、前記演算手段によって生成される環境情報に含まれる環境値が一定の基準値を超えると、当該広告主に対応する前記広告関連情報を点滅又はポップアップ表示する
ことを特徴とする環境情報通知システム。
【請求項２】
（ａ）生活環境の状態に応じた出力信号を出力する状態検出装置と、
（ｂ）前記状態検出装置によって出力された出力信号に基づいて、前記生活環境の状態を表す環境情報を生成する演算手段と、
広告に関連する情報であって、当該広告の広告主のホームページへのリンクを含む広告関連情報を記憶する広告関連情報記憶手段とを有する第１のサーバ装置と、
（ｃ）前記演算手段によって生成された環境情報と、前記広告関連情報記憶手段に記憶された広告に関連する広告関連情報とを取得して表示する表示装置と、
（ｄ）地域、業種、名前あるいは従業員数に基づいて抽出した前記状態検出装置の設置者群の中からいずれかを指定する指定手段と、
前記広告関連情報が前記表示装置によって表示される表示位置であって、各位置に応じて広告に係る費用が異なる複数の表示位置の中からいずれかを選択する選択手段と、
選択した表示位置に表示する前記広告関連情報を前記広告関連情報記憶手段に登録する登録手段とを有する登録装置と、
（ｅ）前記選択手段によって選択された表示位置に対応する広告に係る費用と当該広告の広告主とを対応付けて記憶した広告課金情報記憶手段と、
前記広告課金情報記憶装置に記憶された対応付けに基づいて前記広告の広告主に対して課金する費用の額を決定する広告課金手段と、
前記状態検出装置の設置又は維持に係る費用と、前記指定手段によって指定された前記状態検出装置の設置者とを対応付けて記憶した状態検出装置課金情報記憶手段と、
前記状態検出装置課金情報記憶手段に記憶された前記状態検出装置の設置又は維持に係る費用から、前記広告課金手段によって決定された前記広告主に課金される費用の額を差し引いた差額に基づいて、前記状態検出装置の設置者に対して課金する費用の額を決定する課金手段とを有する第２のサーバ装置と
を具備することを特徴とする環境情報通知システム。
【発明の詳細な説明】
【０００１】
【発明の属する技術分野】
本発明は、例えば大気の汚染度、温度、湿度、浮遊物質、光、電磁波、騒音等の各種の生活環境に関する環境情報を公衆に通知するための環境情報通知システムに関する。
【０００２】
【従来の技術】
大気汚染等の生活環境の悪化が問題視されている。近年では、屋外のみならず、オフィスや住居のような屋内においても、公衆の意識レベルの低さや、関連する法律の整備が遅れていることとも相俟って、生活環境の悪化が深刻な問題となりつつある。このような状況を憂慮した国際保険機構（ＷＨＯ）は、西暦２０００年５月に、「健康に対する人権のもとでは、すべての人は健康的な空気を吸引する権利がある」との原則を含む、９つの健康的空気の権利に関する声明を発表した。
【０００３】
【発明が解決しようとする課題】
上述した問題に対する有効策の一つとして、リアルタイムで生活環境の状況を公衆に知らしめ、これにより、生活環境への関心を喚起するとともに、各自に自衛策をとるよう促すことが考えられる。
しかしながら、先に述べたように、生活環境に対する公衆の意識レベルは一般に低いため、仮に公衆に対して生活環境の状況を公開しても、必ずしも公衆がこれに興味を抱いて見るとは限らない。
また、生活環境を状態を検出するためのセンサは非常に高価であるうえ、その稼動を維持するための費用も必要となる。従って、これらのセンサを設置・稼動しようとする者にとって、そのための費用負担は相当なものになってしまう。
【０００４】
本発明は、このような背景の下になされたものであり、より多くの公衆に対し生活環境の状態を知らしめる機会を提供することを第１の目的とする。
また、本発明は、生活環境の状態を検出するセンサの設置・維持費用の負担を軽減する仕組みを提供することを第２の目的とする。
【０００５】
【課題を解決するための手段】
上述した課題を解決するため、請求項１に記載の発明は、（ａ）生活環境の状態に応じた出力信号を出力する状態検出装置と、（ｂ）前記状態検出装置によって出力された出力信号に基づいて、前記生活環境の状態を表す環境情報を生成する演算手段と、広告に関連する情報であって、当該広告の広告主のホームページへのリンクを含む広告関連情報を記憶する広告関連情報記憶手段とを有する第１のサーバ装置と、（ｃ）前記演算手段によって生成された環境情報と、前記広告関連情報記憶手段に記憶された広告に関連する広告関連情報とを取得して表示する表示装置と、（ｄ）前記広告関連情報記憶手段に記憶された前記広告関連情報に対応する広告の広告主に関する情報を記憶した広告主情報記憶手段と、前記広告に係る費用と当該広告の広告主とを対応付けて記憶した広告課金情報記憶手段と、前記広告課金情報記憶手段に記憶された対応付けに基づいて前記広告の広告主に対して課金する費用の額を決定する広告課金手段と、前記状態検出装置の設置又は維持に係る費用と前記状態検出装置の設置者とを対応付けて記憶した状態検出装置課金情報記憶手段と、前記状態検出装置課金情報記憶手段に記憶された前記状態検出装置の設置又は維持に係る費用から、前記広告課金手段によって決定された前記広告主に課金される費用の額を差し引いた差額に基づいて、前記状態検出装置の設置者に対して課金する費用の額を決定する課金手段とを有する第２のサーバ装置とを具備し、前記表示装置は、前記広告主情報記憶手段に記憶された前記広告の広告主が生活環境に関連している場合、前記演算手段によって生成される環境情報に含まれる環境値が一定の基準値を超えると、当該広告主に対応する前記広告関連情報を点滅又はポップアップ表示することを特徴とする。
【０００６】
請求項２に記載の発明は、（ａ）生活環境の状態に応じた出力信号を出力する状態検出装置と、（ｂ）前記状態検出装置によって出力された出力信号に基づいて、前記生活環境の状態を表す環境情報を生成する演算手段と、  広告に関連する情報であって、当該広告の広告主のホームページへのリンクを含む広告関連情報を記憶する広告関連情報記憶手段とを有する第１のサーバ装置と、（ｃ）前記演算手段によって生成された環境情報と、前記広告関連情報記憶手段に記憶された広告に関連する広告関連情報とを取得して表示する表示装置と、（ｄ）地域、業種、名前あるいは従業員数に基づいて抽出した前記状態検出装置の設置者群の中からいずれかを指定する指定手段と、前記広告関連情報が前記表示装置によって表示される表示位置であって、各位置に応じて広告に係る費用が異なる複数の表示位置の中からいずれかを選択する選択手段と、選択した表示位置に表示する前記広告関連情報を前記広告関連情報記憶手段に登録する登録手段とを有する登録装置と、（ｅ）前記選択手段によって選択された表示位置に対応する広告に係る費用と当該広告の広告主とを対応付けて記憶した広告課金情報記憶手段と、前記広告課金情報記憶装置に記憶された対応付けに基づいて前記広告の広告主に対して課金する費用の額を決定する広告課金手段と、前記状態検出装置の設置又は維持に係る費用と、前記指定手段によって指定された前記状態検出装置の設置者とを対応付けて記憶した状態検出装置課金情報記憶手段と、前記状態検出装置課金情報記憶手段に記憶された前記状態検出装置の設置又は維持に係る費用から、前記広告課金手段によって決定された前記広告主に課金される費用の額を差し引いた差額に基づいて、前記状態検出装置の設置者に対して課金する費用の額を決定する課金手段とを有する第２のサーバ装置とを具備することを特徴とする。
【００１１】
【発明の実施の形態】
以下、図面を参照しながら、この発明の実施形態について説明する。ただし、本発明は、かかる実施形態に限定されず、その技術思想の範囲内で種々の変更が可能である。
Ａ：構成
まず、実施形態の構成について説明する。
（１）システム全体の構成
図１は、実施形態に係るシステム全体の構成を示すブロック図である。
同図に示すように、このシステムは、各種のセンサ１０ａ〜１０ｄ、ローカルサーバ２０、パーソナルコンピュータ３０ａ〜３０ｃ、ローカルエリアネットワーク４０、インターネット５０、管理サーバ６０、パーソナルコンピュータ７０ａ〜７０ｃを主要な構成としている。以下、ローカルエリアネットワークをＬＡＮと略称し、パーソナルコンピュータをパソコンと略称する。
【００１２】
センサ１０ａ〜１０ｄは、オフィス１内の各種生活環境の状態、例えば、空気中の二酸化炭素、一酸化炭素、花粉、浮遊粉塵、浮遊微生物、浮遊粒子状物質（ＳＰＭ）、温度、湿度、光、電磁波、気流、騒音等を検出する装置である。これらセンサ１０ａ〜１０ｄは、例えばオフィス１の天井や壁面、或いはオフィス１に設置された空調システム（図示略）の風洞内部等の、各々の計測対象を検出するために適した箇所に設置されている。
これらのセンサ１０ａ〜１０ｄは、それぞれ通信ケーブルによってローカルサーバ２０に接続されている。各センサ１０ａ〜１０ｄは、自身の計測対象となる生活環境の状態に応じた出力信号を生成し、これを上記通信ケーブルを介してローカルサーバ２０に出力するようになっている。
【００１３】
ローカルサーバ２０は、上述したようにセンサ１０ａ〜１０ｄに接続されるとともに、オフィス１内に敷設されたＬＡＮ４０に接続されている。このローカルサーバ２０は、センサ１０ａ〜１０ｄの制御を行いつつ、センサ１０ａ〜１０ｄから出力された出力信号に基づいて各種の生活環境の状態を示す環境値を算出する機能を備えている。また、ローカルサーバ２０は、算出した環境値をパソコン３０ａ〜３０ｃに表示させるためのＧＵＩ（Graphical  User  Interface）を生成し、生成したＧＵＩを表すデータを各パソコン３０ａ〜３０ｃに配信する機能を備えている。
【００１４】
パソコン３０ａ〜３０ｃは、それぞれオフィス１内に配置され、ＬＡＮ４０に接続されている。オフィス１内の従業員は、このパソコン３０ａ〜３０ｃを用いて自身の業務を遂行する。パソコン３０ａ〜３０ｃはいずれも同一の構成及び動作であり、以下では、パソコン３０ａ〜３０のいずれか１つに限定する必要がない場合は、パソコン３０と呼ぶ。
【００１５】
ローカルサーバ２０によって生成されたＧＵＩは、パソコン３０のディスプレイ装置（図示略）に表示される。
図２は、パソコン３０に表示されるディスプレイ画面３１の構成を示す模式図であり、同図に示す符号Ｄが上記ＧＵＩを意味している。このＧＵＩには、環境値を表示する表示領域Ｄ１と、様々な企業や団体によって提供される画像が表示されたソフトボタンＳＢ１〜ＳＢ９から構成される表示領域Ｄ２とが設けられている。ここで、ソフトボタンとは、ソフトウェア処理によってあたかも実際のボタンの如く表示された仮想的なボタンであり、ユーザによるマウス操作によってクリックされると、クリックされたソフトボタンに定義づけられた処理が実行されるようになっている。
【００１６】
表示領域Ｄ１に表示される環境値は、図２においては二酸化炭素濃度の例が示されているが、これは時間の経過とともに、例えば一酸化炭素や温度、湿度、騒音等の他の環境値が次々と表示されていくようになっている。
また、表示領域Ｄ２のソフトボタンＳＢ１〜ＳＢ９に表示された画像は、企業や団体の名称やシンボルマーク、新商品の名称や外観、消費者へのメッセージ、ホームページ画像のサムネール、或いは、各種デザインが施されて面白みのある画像などである。これらの画像は、静止画像に限らず、ＧＩＦ（Graphics  Interchange  Format）アニメーションやＭＰＥＧ（Moving  Picture  Coding  Experts  Group）形式の動画像であってもよい。
【００１７】
これらのソフトボタンＳＢ１〜ＳＢ９には、ＨＴＭＬ（Hyper  Text  Markup  Language）のアンカータグによって、表示されている画像を提供した企業や団体の広告情報を掲載するホームページ（以下広告ページと呼ぶ）を指定するＵＲＬ（Uniform  Resource  Locator）が関連付けられている。従業員がパソコン３０のマウス（図示略）を操作し、このソフトボタンＳＢ１〜ＳＢ９のいずれかを選択してクリックすると、パソコン３０は、選択されたソフトボタンに関連付けられたＵＲＬによって指定される広告ページにアクセスするようになっている。
【００１８】
以下では、ソフトボタンＳＢ１〜ＳＢ９にアンカータグによって広告ページのＵＲＬを関連付けることを、「広告ページへのリンクを張る」と表現する。また、ソフトボタンＳＢ１〜ＳＢ９に表示される画像を提供し、かつ、広告ページのへのリンクを張る企業或いは団体を「広告主」と呼び、広告主がアンカータグによって広告ページへのリンクを張って、広告ページへのアクセスを可能な状態にすることを「広告の登録」と呼ぶ。また、表示領域Ｄ２に表示されているソフトボタンＳＢ１〜ＳＢ９に表示される画像を、広告に関連しているという意味から、「広告関連情報」と呼ぶことにする。
オフィス１内の従業員にとっては、広告主によって提供される画像そのものや、どのような広告主の広告ページにリンクが張られているかということが興味の対象となる。従って、従業員が上述したＧＵＩを参照する機会も多くなり、これと合わせて自身の生活環境の状態を知る機会も増える。また、興味がある広告ページへ簡単な操作ですぐにアクセスすることができるというメリットもある。
【００１９】
再び図１に戻り、システム全体の構成について説明する。
ＬＡＮ４０は、ゲートウェイ４１を介してインターネット５０に接続されている。これにより、ローカルサーバ２０やパソコン３０ａ〜３０ｃは、ゲートウェイ４１を介して、インターネット５０に接続された各種コンピュータと通信することが可能になっている。
【００２０】
パソコン７０ａ〜７０ｃは、上述した広告主が保持するコンピュータであり、それぞれインターネット５０に接続されている。このパソコン７０ａ〜７０ｃは、それぞれＨＴＭＬによって記述された広告ページを記憶しており、パソコン３０からのリクエストに応じて、記憶している広告ページを返信するようになっている。
これらパソコン７０ａ〜７０ｃはいずれも同一の構成及び動作であり、以下では、パソコン７０ａ〜７０ｃのいずれか１つに限定する必要がない場合は、パソコン７０と呼ぶ。
【００２１】
管理サーバ６０は、このシステム全体を管理するシステム管理者によって保持されるコンピュータであり、インターネット５０に接続されている。
広告主は、オフィス１内のパソコン３０に表示されるＧＵＩに自身の広告ページへのリンクを張る代わりに、センサ１０ａ〜１０ｄの設置・維持に係る費用を負担する者（以下、センサ設置者と呼ぶ）に広告費用を支払う。センサ設置者は、広告主から支払われた広告費用を受け取る一方、センサ１０ａ〜１０ｄの設置・維持に係る費用をシステム管理者に支払う。
管理サーバ６０は、広告主による広告の登録要求を受け付けるほか、上記のような広告主やセンサ設置者に対する課金処理を行う機能を備えている。
【００２２】
以上がシステムの全体構成の概要である。ただし、図１には、センサ１０ａ〜１０ｄ、パソコン３０ａ〜３０ｃ、パソコン７０ａ〜７０ｃしか図示していないが、実際には、これらはもっと多数存在している。
また、同図には、１つのオフィス１に対応した設備、具体的には、ＬＡＮ４０、センサ１０ａ〜１０ｄ、ローカルサーバ２０及びパソコン３０ａ〜３０ｃしか図示していないが、実際には、これと同様の構成を備えたオフィスが多数点在しており、そのオフィス内のＬＡＮはそれぞれインターネット５０に接続されている。
【００２３】
（２）ローカルサーバ２０の構成
次に、ローカルサーバ２０の構成について説明する。
図３は、ローカルサーバ２０の構成を示すブロック図である。同図に示すように、ローカルサーバ２０は、ＣＰＵ（Central  Processing  Unit）２１、ＲＯＭ（Read  Only  Memory）２２、ＲＡＭ（Random  Access  Memory）２３、Ａ／Ｄ変換器２４、通信部２５、ハードディスク装置２６及びこれらを相互に接続するバス２７から構成される。
ＲＯＭ２２には各種制御プログラム等が格納されており、ＣＰＵ２１は、この制御プログラムを読み出してこれを実行し、ローカルサーバ２０の各部を制御する。この際、ＲＡＭ２３は、ＣＰＵ２１のワークエリアとして用いられる。
【００２４】
Ａ／Ｄ変換器２４は、図示せぬケーブルを介してセンサ１０ａ〜１０ｄに接続されており、これらセンサ１０ａ〜１０ｄから出力されるアナログ信号をデジタル信号に変換する。ＣＰＵ２１は、変換されたデジタル信号を一定のサンプリング周期で取り込み、取り込んだ信号に演算・補正等の所定の処理を施して環境値を算出する。
【００２５】
通信部２５は、ＬＡＮ４０との接続インタフェースや通信制御回路からなり、ＬＡＮ４０を介してパソコン３０ａ〜３０ｃとデータ通信を行ったり、ＬＡＮ４０及びインターネット５０を介して管理サーバ６０とデータ通信を行う。
【００２６】
ハードディスク装置２６には、センサ１０ａ〜１０ｄからの出力信号に基づいて環境値を算出するための環境値演算プログラム２６ａや、図２に示すようなＧＵＩを生成するＧＵＩ作成プログラム２６ｂが格納される他、ＧＵＩを生成するために必要な情報を記憶したＧＵＩ情報記憶部２６ｃという記憶領域が設けられている。
【００２７】
図４は、ＧＵＩ情報記憶部２６ｃに記憶されている内容の一例を示すフォーマット図である。同図に示すように、ＧＵＩ情報記憶部２６ｃには、ソフトボタン番号、広告費用月額、広告主名称、広告ページのＵＲＬ、画像格納アドレスがそれぞれ対応付けられて記憶されている。
ソフトボタン番号は、図２に示す各ソフトボタンＳＢ１〜ＳＢ９の符号と対応しており、このソフトボタン番号によってＧＵＩ上のどこに配置されるかということが定まっている。広告主は、これらソフトボタンＳＢ１〜ＳＢ９に対し自身の広告ページへのリンクを張ることことによって広告の登録を行うが、どのソフトボタンＳＢ１〜ＳＢ９を利用して広告の登録を行うかによって、異なる広告費用が設定されている。例えば、図４において、広告主がソフトボタン番号ＳＢ１を利用して広告の登録を行う場合には、月額５０００円の広告費用をセンサ設置者に支払う必要があることを意味している。
【００２８】
次に、広告主名称は、広告の登録を行った広告主の名称である。広告ページのＵＲＬは、前述したように、各ソフトボタンＳＢ１〜ＳＢ９に関連付けられたＵＲＬである。画像格納アドレスとは、ソフトボタンＳＢ１〜ＳＢ９に表示される画像を表すデータが格納された、ハードディスク装置２６内のメモリアドレスである。例えば、図４において、ソフトボタンＳＢ１を利用して広告の登録を行った広告主名称「Ａ」の広告ページのＵＲＬは「http://www.aaa.co.jp/index.html」であり、そのソフトボタンＳＢ１に貼り付けられる画像を表すデータはハードディスク装置２６内のメモリアドレス「X00000001」に格納されていることを意味している。
【００２９】
（３）管理サーバ６０の構成
次に、管理サーバ６０の構成について説明する。
図５は、管理サーバ６０の構成を示すブロック図である。同図に示すように、管理サーバ６０は、ＣＰＵ６１、ＲＯＭ６２、ＲＡＭ６３、通信部６４、ハードディスク装置６５及びこれらを相互に接続するバス６６から構成される。
ＲＯＭ６２には各種制御プログラム等が格納されており、ＣＰＵ６１は、この制御プログラムを読み出してこれを実行し、管理サーバ６０の各部を制御する。この際、ＲＡＭ６３は、ＣＰＵ６１のワークエリアとして用いられる。
通信部６４は、インターネット５０との接続インタフェースやモデムからなり、インターネット５０を介してローカルサーバ２０やパソコン７０とデータ通信を行う。
【００３０】
ハードディスク装置２６には、センサ１０ａ〜１０ｄを設置しているセンサ設置者に関する情報を記憶したセンサ設置者情報記憶部６５ａ、広告主に関する情報を記憶した広告主情報記憶部６５ｂ、及びセンサ設置・維持費用や広告費用に関する課金情報を記憶した課金情報記憶部６５ｃという３つの記憶領域が設けられている。また、ハードディスク装置６５には、広告主のパソコン７０からの広告の登録要求を受け付けるための広告登録受付プログラムが記憶されている。また、図示していないが、ハードディスク装置２６には、センサ設置者の位置を地図上で表示するために必要な地図データも記憶されている。
【００３１】
（３−１）センサ設置者情報記憶部の構成
図６は、センサ設置者情報記憶部６５ａに記憶されている内容の一例を示すフォーマット図である。同図に示すように、センサ設置者情報記憶部６５ａには、センサ設置者の名称、住所、業種、従業員数、空いているソフトボタン番号、ローカルサーバのアドレス、及び設置しているセンサの種類がそれぞれ対応付けられて記憶されている。
名称、住所、業種、従業員数、及び空いているソフトボタン番号は、主として、広告登録時に広告の登録が可能なセンサ設置者を広告主に対して提示するために利用される。ローカルサーバのアドレスは、管理サーバ６０がローカルサーバ２０とデータ通信を行う際に利用される。センサの種類は、センサ設置・維持費用の算出に用いられる。即ち、センサの種類が多いほどセンサ設置・維持費用も高額となる。
【００３２】
同図において、例えば名称「Ｘ」というセンサ設置者の住所は「東京都中央区日本橋１丁目−×−×」であり、業種は「建設業」であり、従業員数は「５６０名」であり、「Ｘ」のオフィス１内のローカルサーバ２０のアドレスは「www.xxx.co.jp」であり、パソコン３０に表示されるＧＵＩにおいてソフトボタン番号「ＳＢ４、ＳＢ６、ＳＢ７、ＳＢ８」が空いており、設置されているセンサ１０ａ〜１０ｄは「二酸化炭素、一酸化炭素、温度、花粉」を検出するものであることを意味している。
【００３３】
（３−２）広告主情報記憶部の構成
図７は、広告主情報記憶部６５ｂに記憶されている内容の一例を示すフォーマット図である。同図に示すように、広告主情報記憶部６５ｂには、広告主の名称、住所、広告登録先のセンサ設置者の名称、利用しているソフトボタン番号、広告ページのＵＲＬ等の各種情報がそれぞれ対応付けられて記憶されている。
同図において、例えば名称「Ａ」という広告主は、「Ｘ」及び「Ｙ」というセンサ設置者に対して広告登録を行っており、かつ、「Ｘ」のソフトボタンＳＢ１及び「Ｙ」のソフトボタン番号ＳＢ６には広告ページのＵＲＬ「http://www.aaa.co.jp/index.html」が関連付けられていることを意味している。
【００３４】
（３−３）課金情報記憶部の構成
図８及び図９は、課金情報記憶部６５ｃに記憶されている内容の一例を示すフォーマット図である。課金情報記憶部６５ｃには、センサ設置者に対する課金情報を記憶したセンサ費用テーブルＳＣＴ（図８参照）と、広告主に対する課金情報を記憶した広告費用テーブルＣＣＴ（図９参照）とが記憶されている。
【００３５】
センサ費用テーブルＳＣＴには、各センサ設置者ごとに、センサ１０ａ〜１０ｄの設置・維持に係るセンサ費用月額Ｃ１、そのセンサ設置者が広告主から受け取るべき広告収入月額Ｃ２、及びセンサ費用月額Ｃ１から広告収入月額Ｃ２を差し引いた請求月額Ｃ３が記憶されている。
例えば、図８において、センサ設置者「Ｘ」は、８月分のセンサ設置・維持費用として「６０，０００円」が必要だが、広告収入として広告主Ａ〜Ｅから総額「２２，０００円」を受け取ることができるため、６０，０００−２２，０００＝「３８，０００円」をシステム管理者に支払えばよいということを意味している。
【００３６】
次に、広告費用テーブルＣＣＴには、各広告主ごとに、広告登録先のセンサ設置者の名称、利用しているソフトボタン番号、広告費用月額、および総広告費用月額が記憶されている。
例えば、図９において、広告主「Ａ」は、センサ設置者「Ｘ」のソフトボタンＳＢ１、「Ｙ」のソフトボタンＳＢ６に広告登録しており、これらの８月分の広告費用月額はそれぞれ「５０００円」、「４０００円」となっている。従って、広告主「Ａ」がセンサ設置者「Ｘ」、「Ｙ」に支払うべき総広告費用月額は、「９，０００円」ということになる。
【００３７】
管理サーバ６０は、これらセンサ費用テーブルＳＣＴ及び広告費用テーブルＣＣＴを参照することによって、広告主がセンサ設置者に支払うべき広告費用月額を決定し、これをセンサ設置者に代わって徴収するとともに、センサ設置者が支払うべき請求月額Ｃ３を決定し、これを徴収する。
この徴収処理は、例えばクレジット会社や銀行等の金融機関が提供する自動引き落としサービスを利用することによって、以下のようにして実行される。
図１０に、この徴収処理を行うためのシステム構成の一例を示す。
まず、システム管理者及びセンサ設置者の間、システム管理者及び広告主の間で、それぞれ自動引き落としサービスの契約を予め締結しておく。
インターネット５０に接続された金融機関のサーバ８０は、広告主の銀行口座、センサ設置者の銀行口座及びシステム管理者の銀行口座のそれぞれの残高を管理する。管理サーバ６０は、毎月末に、上述のようにして定まる広告費用月額及び請求月額Ｃ３を、インターネット５０を介して金融機関のサーバ８０に通知する。この通知を受けた金融機関のサーバ８０は、広告主の銀行口座から広告費用月額を引き落とすとともに、センサ設置者の銀行口座から請求月額Ｃ３を引き落とし、引き落とした広告費用月額及び請求月額Ｃ３をシステム管理者の銀行口座へ入金する。
【００３８】
Ｂ：動作
次に、上記構成からなる実施形態の動作について説明する。
以下では、（１）広告主のパソコン７０による広告登録、（２）ローカルサーバ２０によるＧＵＩの配信、の順に動作説明を行う。
【００３９】
（１）広告主のパソコン７０による広告登録
まず、図１１に示すシーケンス図を参照しながら、広告主「Ａ」がセンサ設置者「Ｘ」に対して広告登録を行う例について説明する。
広告主「Ａ」の操作者がパソコン７０ａを操作して管理サーバ６０のＵＲＬを入力すると、パソコン７０ａは、この入力操作を受け付け、入力されたＵＲＬに基づいて管理サーバ６０にリクエスト信号を送信する（ステップＳａ１）
【００４０】
管理サーバ６０は、このリクエスト信号を受信すると、各種の処理メニューが列記されたメニュー画面を表示するためのＨＴＭＬデータを生成し、これをパソコン７０ａに送信する（ステップＳａ２）。
【００４１】
パソコン７０ａは、上記ＨＴＭＬデータを受信すると、これを解釈して図１２に示すようなメニュー画面をディスプレイ装置に表示する（ステップＳａ３）。図１２において、「▲１▼広告登録」は、広告主が広告の登録を新規に行うためのメニューであり、「▲２▼課金額検索」は、広告主が自身に課せられる課金額を検索するためのメニューであり、「▲３▼登録変更」は、広告主が既に行っている広告の登録を解除したり、利用するソフトボタンを変更したりするためのメニューであり、「▲４▼ヘルプ」はこのシステムの使用方法を説明するためのメニューである。
さて、操作者が同図に示すような処理メニューの中から「▲１▼広告登録」を選択してクリックすると、パソコン７０ａはこの操作を受け付け、「▲１▼広告登録」というメニュー項目に関連付けられているＵＲＬを含むリクエスト信号を管理サーバ６０に送信する（ステップＳａ４）。
【００４２】
管理サーバ６０は、このリクエスト信号を受信すると、センサ設置者の種類別リストが列記された検索リスト画面を表示するためのＨＴＭＬデータを生成し、これをパソコン７０ａに送信する（ステップＳａ５）。
【００４３】
パソコン７０ａは、上記ＨＴＭＬデータを受信すると、これを解釈して図１３に示すような検索リスト画面をディスプレイ装置に表示する（ステップＳａ６）。
図１３において、「▲１▼地域別」は、広告主が所望の地域を指定してその地域に存在するセンサ設置者を検索するためのメニューであり、「▲２▼業種別」は、広告主が所望の業種を指定してその業種に該当するセンサ設置者を検索するためのメニューであり、「▲３▼名前別」は、広告主が所望するセンサ設置者（或いはセンサ設置者が入居している建物）の名称を指定してこれを検索するためのメニューであり、「▲４▼従業員数別」は、広告主が所望の従業員数を指定してその従業員数に対応するセンサ設置者を検索するためのメニューである。
ここでは、操作者が同図に示すような検索リストの中から「▲１▼地域別」を選択し、フィールドＦ１に「東京都中央区日本橋」と入力したとする。パソコン７０ａは、この操作を受け付け、「▲１▼地域別」というメニュー項目に関連付けられているＵＲＬと、「東京都中央区日本橋」というテキストデータを含むリクエスト信号を管理サーバ６０に送信する（ステップＳａ７）。
【００４４】
管理サーバ６０は、このリクエスト信号を受信すると、当該信号に含まれる「東京都中央区日本橋」をキーワードにしてセンサ設置者情報記憶部６５ａを検索し、このキーワードを住所に含むセンサ設置者情報を抽出する。次いで、管理サーバ６０は、リクエスト信号に含まれるＵＲＬによって指定されるディレクトリから地域別リスト画面を表示するためのＨＴＭＬデータを読み出し、抽出されたセンサ設置者情報を上記ＨＴＭＬデータに関連付けて、これをパソコン７０ａに送信する（ステップＳａ８）。
【００４５】
パソコン７０ａは、上記ＨＴＭＬデータを受信すると、これを解釈して図１４に示すような地域別リスト画面をディスプレイ装置に表示する（ステップＳａ９）。同図において、日本橋１丁目には、センサ設置者「Ｘ」、「Ｙ」、「Ｚ」があり、このうち「Ｘ」、「Ｙ」においてはソフトボタンＳＢ１〜ＳＢ９のいずれかが広告登録されていない(即ち空きがある）が、「Ｚ」のソフトボタンＳＢ１〜ＳＢ９は全て広告登録されている（即ち空きが無い）ことを意味している。
ここで、操作者が同図に示す「地図表示」と表示されたソフトボタンＳＢ２００をクリックすると、図１５に示すように、日本橋１丁目のセンサ設置者「Ｘ」、「Ｙ」、「Ｚ」の位置が地図上に表示された画面データが管理サーバ６０から提供されてパソコン７０ａに表示されることになる。
【００４６】
さて、操作者が図１４或いは図１５に示すような画面からセンサ設置者「Ｘ」を選択してこれをクリックすると、パソコン７０ａは、この操作を受け付け、選択されたセンサ設置者「Ｘ」の表示箇所に関連付けられているＵＲＬを含むリクエスト信号を管理サーバ６０に送信する（ステップＳａ１０）。
【００４７】
管理サーバ６０は、このリクエスト信号を受信すると、リクエスト信号に含まれるＵＲＬによって指定されるディレクトリから、さらに詳細な広告登録状況を示す登録状況画面を示すＨＴＭＬデータを読み出す。そして、管理サーバ６０は、センサ設置者情報記憶部６５ａを参照して得られるセンサ設置者「Ｘ」の詳細な広告登録状況を上記ＨＴＭＬデータに関連付けて、これをパソコン７０ａに送信する（ステップＳａ１１）。
【００４８】
パソコン７０ａは、上記ＨＴＭＬデータを受信すると、これを解釈して図１６に示すような、センサ設置者「Ｘ」の登録状況画面をディスプレイ装置に表示する（ステップＳａ１２）。
同図において、ソフトボタンＳＢ２〜ＳＢ３、ＳＢ５、ＳＢ９上の「×」表示は他の広告主によって既に広告登録がなされていることを意味しており、ソフトボタンＳＢ１、ＳＢ４、ＳＢ６〜ＳＢ８上の数字表示は月額の広告費用を意味している。操作者が同図に示すような登録状況画面から所望のソフトボタン（ここではソフトボタンＳＢ１とする）を選択してこれをクリックすると、パソコン７０ａは、この操作に応じて「ＳＢ１」という情報を含むリクエスト信号を管理サーバ６０に送信する（ステップＳａ１３）。
【００４９】
管理サーバ６０は、このリクエスト信号を受信すると、広告主が広告登録を行うための広告登録画面を示すＨＴＭＬデータを生成し、これをパソコン７０ａに送信する（ステップＳａ１４）。
【００５０】
パソコン７０ａは、上記ＨＴＭＬデータを受信すると、これを解釈して図１７に示すような広告登録画面をディスプレイ装置に表示する（ステップＳａ１５）。
操作者は、同図に示すような広告登録画面上の各フィールドＦ１０〜Ｆ１６に必要な事項を入力した後、登録ボタンＳＢ４００をクリックする。なお、フィールドＦ１５には、ソフトボタンＳＢ１に表示すべき画像データが格納されたディレクトリ名を入力すればよい。
パソコン７０ａは、上記操作を受け付けると、フィールドＦ１５に入力されたディレクトリ名に基づいて自身のハードディスク装置から画像データを読み出し、読み出した画像データをフィールドＦ１０〜Ｆ１４及びＦ１６に入力された事項とともに管理サーバ６０に送信する（ステップＳａ１６）。
【００５１】
管理サーバ６０は、上記のデータを受信すると、これらデータをそれぞれセンサ設置者情報記憶部６５ａ及び広告主情報記憶部６５ｂの所定エリアに記憶する（ステップＳａ１７）。
次いで、管理サーバ６０は、センサ設置者「Ｘ」のローカルサーバ２０に対し、ステップＳａ１７において受信したソフトボタン番号、広告主名称、広告ページのＵＲＬ、画像データを送信する（ステップＳａ１８）。
【００５２】
センサ設置者「Ｘ」のローカルサーバ２０は、上記データを受信すると、画像データをハードディスク装置２６内の所定の記憶エリアに記憶した後、受信したソフトボタン番号に対応させて、広告主名称、広告ページのＵＲＬ及び画像格納アドレスをＧＵＩ情報記憶部２６ｃに記憶する（ステップＳａ１９）。
【００５３】
以上のような処理によって、広告主「Ａ」のセンサ設置者「Ｘ」に対する広告登録がなされる。このような広告登録によって、操作者たる広告主が例えば「東京都中央区日本橋」で飲食店を経営しており、その近辺の企業の従業員に対して自身の飲食店の広告宣伝を行いたいような場合、これを容易に実現することができる。
なお、上記の例においては広告主が地域別リストによってセンサ設置者を検索していたが、図１３に示す「▲２▼業種別」、「▲３▼名前別」或いは「▲４▼従業員数別」というメニュー項目を選択することによっても、上記の同様の流れで所望のセンサ設置者を検索し、広告登録を行うことができる。
【００５４】
（２）ローカルサーバ２０によるＧＵＩの配信
次に、図１８に示すフローチャート図を参照しながら、ローカルサーバ２０がＧＵＩを生成し、パソコン３０に表示させる動作について説明する。
同図において、ローカルサーバ２０のＣＰＵ２１は、環境値演算プログラムを実行しつつ、図示せぬクロック回路から出力されるクロック信号に基づいてタイムカウントを実行し、予め定められたサンプリング周期が到来すると（ステップＳｃ１）、センサ１０ａ〜１０ｄの検出値をＡ／Ｄ変換器２４を介して取り込み、ＲＡＭ２３に一時記憶させる（ステップＳｃ２）。
【００５５】
次いで、ＣＰＵ２１は、ＲＡＭ２３に一時記憶した検出値に対して所定の演算・補正処理を施し、環境値を算出する（ステップＳｃ３）。
【００５６】
次に、ＣＰＵ２１は、ＧＵＩ作成プログラムを起動し、パソコン３０に表示させるべきＧＵＩを表すデータを生成する（ステップＳｃ４）。具体的には、ＣＰＵ２１は、ハードディスク装置２６からＧＵＩ作成プログラム２６ｂを読み出してこれを実行し、ＧＵＩ情報記憶部２６ｃ内の画像格納アドレスに基づいて画像データを読み出し、この画像データを対応するソフトボタンＳＢ上に貼り付けるとともに、算出しておいた環境値を表示領域Ｄ１に設定する。
【００５７】
そして、ＣＰＵ２１は、パソコン３０ａ〜３０ｃの各々に通信部２５を介してＧＵＩを表すデータを配信し、ステップＳｂ１に戻る（ステップＳｃ５）。
以降、上述したステップＳｃ１〜Ｓｃ５と同様の処理が繰り返され、パソコン３０ａ〜３０ｃには最新の環境値とともに広告関連情報が配信され、そのディスプレイ装置に表示される。
【００５８】
上述した実施形態によれば、センサ１０ａ〜１０ｄによって得られた各種の環境値を広告関連情報と関連付けて表示するので、従業員は、広告関連情報を参照する際に、合わせて自身の生活環境の状態を知ることができる。
また、広告費用を広告主に課金する一方、センサ費用から前記広告費用を差し引いた額をセンサ設置者に課金するので、センサ設置者にとってはセンサ１０ａ〜１０ｄの設置・維持費用の負担を軽減することができる。
また、広告主は、自身の広告対象を地域や業種等によって選別することができるので、比較的安価で効率のよい広告宣伝が可能になる。
【００５９】
Ｃ：変形例
既述の通り、本発明は上述した実施形態に限定されず、以下のような種々の変更が可能である。
（１）広告ページへのアクセス形態
実施形態では、ソフトボタンＳＢ１〜ＳＢ９に広告ページのＵＲＬを関連付けておき、パソコン３０はこのＵＲＬに基づいて広告ページを保持したパソコン７０にアクセスするようになっていたが、このように、その都度パソコン７０にアクセスするような構成に限定されるわけではない。
例えば、広告登録時にパソコン７０から管理サーバ６０或いはローカルサーバ２０に広告ページを表すＨＴＭＬデータを送信しておき、この管理サーバ６０或いはローカルサーバ２０が広告ページを保持し、これをパソコン３０に送信するようにしてもよい。即ち、オリジナルの広告ページを保持するパソコン７０のような一次ソースと、パソコン３０に提供するためだけに広告ページを保持する管理サーバ６０或いはローカルサーバ２０のような二次ソースとを分けて構成してもよい。
また、パソコン３０自体が、広告ページを記憶しておいてもよい。この場合、ソフトボタンＳＢ１〜ＳＢ９には、広告ページのＵＲＬではなく広告ページを記憶したメモリのアドレスが関連付けられることになる。
このようにすれば、広告ページの表示が迅速に行われるとともに、ネットワーク上のトラヒックの軽減が図れる。
【００６０】
（２）ソフトボタンＳＢ１〜ＳＢ９上の画像の表示形態
ソフトボタンＳＢ１〜ＳＢ９に表示される画像を、環境値の大小に応じて点滅させたり、色調を変化させたりしてもよい。
また、環境値がある一定の基準値を越えると、別の広告主の画像をポップアップ表示させてもよい。例えば、広告主が空調機器の販売会社のように生活環境に関連した企業の場合、環境値がある一定の基準値を越えると、その広告主の画像のみを点滅させたり、新たにポップアップ表示させれば、従業員に対しての広告効果が一段と強まる。
【００６１】
（３）環境値の表示形態
環境値の表示形態は、数値による表示に限定されない。例えば、数値表示に代えて、「空気が乾燥してます」、「換気が必要です」、「空調機器の設定温度を２度低く設定してください」などのメッセージ表示でもよいし、数値表示とともにこれらのメッセージを表示してもよい。
また、環境値の大小に応じて、その環境値を点滅させて表示したり、表示している色調を変化させたりして、従業員に対して警告の意思表示をしてもよい。
【００６２】
（４）広告の一斉登録
実施形態では、広告主は、センサ設置者ごとに広告登録を行っていた。しかし、これに限らず、ある一定のグループに属するセンサ設置者に対して一斉に広告登録を行ってもよい。
例えば、地域別のグループの場合、図１４に示す日本橋１丁目のセンサ設置者Ｘ、Ｙ、Ｚに対して、広告主は、同一のソフトボタン番号を指定して一斉に広告登録を行う。この場合、センサ設置者Ｘ、Ｙ、Ｚのローカルサーバ２０が生成するＧＵＩには、同一の広告主から提供される画像が同一位置のソフトボタンＳＢ１〜ＳＢ９上に表示されることになる。このようにすれば、広告登録の処理の迅速化が図れる。
【００６３】
（５）センサ１０ａ〜１０ｄの設置形態
実施形態では、センサ１０ａ〜１０ｄはオフィス１内のような屋内の環境値を検出するために用いられていた。
しかし、これに限らず、屋内型のセンサに加えて、屋外の環境値を検出するためのセンサを併用してもよい。この場合、屋外に設置する１つのセンサを、その近辺地域のセンサ設置者のローカルサーバ２０が共通して利用できるようにしてもよい。また、インターネット５０上に屋外の環境値を公表するホームページを設置しておき、各ローカルサーバ２０が、このホームページから屋外の環境値を取りこむようにしてもよい。このようにすればセンサ設置者の屋外センサに対する費用負担が抑えられる。
さらに、環境値の表示の際には、屋内の環境値ととともに屋外の環境値を表示したり、屋内の環境値と屋外の環境値の差分を表示したりするほか、屋内の環境値と屋外の環境値とが所定のしきい値以上乖離した場合に警告メッセージを表示するようにしてもよい。
【００６４】
（６）センサ１０ａ〜１０ｄの計測対象
センサ１０ａ〜１０ｄの計測対象は実施形態で述べたものに限らず、生活環境の状態を示すものであれば、あらゆるものが計測対象となり得る。
例えば、センサ１０ａ〜１０ｄの計測対象には各種の化学物質も含まれる。この化学物質には、例えば、トルエン、キシレン、ホルムアルデヒド、パラジクロロベンゼン、ダイオキシンオゾン、ラドン、鉛等がある。これらの化学物質は、例えば建材、生活用品、ＯＡ機器、消毒剤、洗剤、ワックス等から揮発して空気中に拡散する。
また、居住者やカビ類、菌類等から発生する臭いや化学物質もセンサ１０ａ〜１０ｄの計測対象となり得る。
【００６５】
（７）広告費用の設定
実施形態では、ソフトボタンＳＢ１〜ＳＢ９の位置によって異なる広告費用を設定していた。しかし、これに限らず、センサ設置者の所在場所や従業員数を広告費算定の基準にしてもよい。例えば、繁華街に位置するセンサ設置者や従業員数の多いセンサ設置者の広告費用は、その広告効果を考慮して他の広告主より高い広告費用を設定してもよい。
【００６６】
（８）課金の形態
実施形態では、管理サーバ６０は、センサ設置者が支払うべき請求月額Ｃ３を課金するようになっていたが、必ずしもこのような形態に限定されない。
例えば、広告主から広告費用月額を徴収すると、この広告費用月額を受け取るべきセンサ設置者の銀行口座に上記広告費用月額を振り込む一方、このセンサ設置者からはセンサ費用月額Ｃ１を徴収するようにしてもよい。
【００６７】
（９）ローカルサーバ２０と管理サーバ６０の形態
実施形態では、ローカルサーバ２０と管理サーバ６０とがそれぞれ役割を分担して処理を行っていた。しかし、各サーバの機能は、実施形態で説明したものに限定されることはなく、１つのサーバがローカルサーバ２０と管理サーバ６０の機能を備えていてもよいし、これらの機能をさらに複数のサーバに分散化して保持させてもよい。
【００６８】
（１０）ネットワークの形態
実施形態において、ローカルサーバ２０によって生成された環境値は、ＬＡＮ４０を介して複数のパソコン３０ａ〜３０ｃに同報送信されていた。
しかし、これに限らず、センサ１０ａ〜１０ｄをパソコン３０に直接接続し、このパソコン３０がセンサ１０ａ〜１０ｄからの出力信号に基づいて環境値を生成し自身のディスプレイ装置に表示してもよい。このようにすれば、ローカルサーバ２０は不要になる。この場合、インターネット５０上に屋外の環境値を公表するホームページを設置しておき、パソコン３０はこのホームページから屋外の環境値を取りこむようにしてもよい。
【００６９】
【発明の効果】
上述したように本発明によれば、生活環境の状態を表す環境情報と広告に関連する広告関連情報とを表示するので、公衆は、広告関連情報を参照する際に、合わせて生活環境の状態を知ることができる（請求項１ないし請求項６）。
また、広告に係る費用を広告主に課金する一方、状態検出手段の設置又は維持に係る費用から前記広告に係る費用を差し引いた額に基づいて、状態検出手段の設置者に対して課金するので、状態検出手段に関する費用の負担を軽減することができる（請求項４）。
【図面の簡単な説明】
【図１】  本発明の実施形態に係るシステムの全体構成を示すブロック図である。
【図２】  同実施形態におけるパーソナルコンピュータ３０に表示されるＧＵＩの一例を示す模式図である。
【図３】  同実施形態におけるローカルサーバの構成を示すブロック図である。
【図４】  同実施形態における広告情報記憶部の記憶内容の一例を示す図である。
【図５】  同実施形態における管理サーバの構成を示すブロック図である。
【図６】  同実施形態におけるセンサ設置者情報記憶部の記憶内容の一例を示す図である。
【図７】  同実施形態における広告主情報記憶部の記憶内容の一例を示す図である。
【図８】  同実施形態における課金情報記憶部のセンサ費用テーブルＳＣＴ▲２▼記憶された内容の一例を示す図である。
【図９】  同実施形態における課金情報記憶部の広告費用テーブルＣＣＴに記憶された内容の一例を示す図である。
【図１０】  同実施形態における費用の徴収処理を行うためのシステム構成の一例を示すブロック図である。
【図１１】  同実施形態における広告登録処理時のシステム全体の動作を示すシーケンス図である。
【図１２】  同実施形態における広告登録時に広告主のパーソナルコンピュータに表示される画面の一例を示す模式図である。
【図１３】  同実施形態における広告登録時に広告主のパーソナルコンピュータに表示される画面の一例を示す模式図である。
【図１４】  同実施形態における広告登録時に広告主のパーソナルコンピュータに表示される画面の一例を示す模式図である。
【図１５】  同実施形態における広告登録時に広告主のパーソナルコンピュータに表示される画面の一例を示す模式図である。
【図１６】  同実施形態における広告登録時に広告主のパーソナルコンピュータに表示される画面の一例を示す模式図である。
【図１７】  同実施形態における広告登録時に広告主のパーソナルコンピュータに表示される画面の一例を示す模式図である。
【図１８】  同実施形態におけるローカルサーバによるＧＵＩ生成処理の動作を示すフローチャート図である。
【符号の説明】
１０ａ〜１０ｄ・・・センサ（状態検出手段）、
２０・・・ローカルサーバ（演算手段）、
２１・・・ＣＰＵ、２２・・・ＲＯＭ、
２３・・・ＲＡＭ、２４・・・Ａ／Ｄ変換器、
２５・・・通信部、２６・・・ハードディスク装置、
２６ａ・・・環境値演算プログラム、２６ｂ・・・ＧＵＩ作成プログラム、
２６ｃ・・・ＧＵＩ情報記憶部、
３０ａ〜３０ｃ・・・パーソナルコンピュータ（表示手段）、
４０・・・ローカルエリアネットワーク、５０・・・インターネット
６０・・・管理サーバ（広告課金手段、課金手段）、
６１・・・ＣＰＵ、６２・・・ＲＯＭ、６３・・・ＲＡＭ、６４・・・通信部、
６５・・・ハードディスク装置、
６５ａ・・・センサ設置者情報記憶部、６５ｂ・・・広告主情報記憶部、
６５ｃ・・・課金情報記憶部（広告課金手段、課金手段）、
６５ｄ・・・広告登録受付プログラム（登録手段）、
７０ａ〜７０ｃ・・・パーソナルコンピュータ（登録手段）、
８０・・・金融機関のサーバ。
【図１】
0004489279.tif 000002
【図２】
0004489279.tif 000003
【図３】
0004489279.tif 000004
【図４】
0004489279.tif 000005
【図５】
0004489279.tif 000006
【図６】
0004489279.tif 000007
【図７】
0004489279.tif 000008
【図８】
0004489279.tif 000009
【図９】
0004489279.tif 000010
【図１０】
0004489279.tif 000011
【図１１】
0004489279.tif 000012
【図１２】
0004489279.tif 000013
【図１３】
0004489279.tif 000014
【図１４】
0004489279.tif 000015
【図１５】
0004489279.tif 000016
【図１６】
0004489279.tif 000017
【図１７】
0004489279.tif 000018
【図１８】
0004489279.tif 000019